(57)【要約】【課題】机下面を有する少なくとも１つの机板と少なくとも２つの机脚とが設けられている机システムを改良し、会議・学習机システムとして、かつ机設備としても独立型机としても使用でき、使用する材料を減じて簡単な取扱いを特徴とする机システムを提供し、さらに、ネットワーク手段と通信テクノロジとを問題なく机板に組み込むことが可能でもあるようにする。【解決手段】当該机システムが、２つの異なる構成群から成っており、第１の構成群が、机板（１）と、互いに離間された、机下面に不動に配置された横梁（３）とを有しており、第２の構成群が、少なくとも２つのロック・緊締装置１１を備えた机脚（２）とを有しており、それぞれ第２の構成群の少なくとも１つのロック・緊締装置（１１）が、第１の構成群の１つの横梁（３）に係合し、前記ロック・緊締装置（１１）が、ナックルジョイント原理に基づき作動するようにした。【選択図】図３
2007301370.tif 000002
【特許請求の範囲】
【請求項１】
机下面を有する少なくとも１つの机板（１）と、少なくとも２つの机脚（２）とが設けられている机システムであって、当該机システムが、２つの異なる構成群から成っており、第１の構成群が、机板（１）と、互いに離間された、机下面に不動に配置された横梁（３）とを有しており、第２の構成群が、少なくとも２つのロック・緊締装置（１１）を備えた机脚（２）とを有しており、第２の構成群の、それぞれ少なくとも１つのロック・緊締装置（１１）が、第１の構成群の１つの横梁（３）に係合し、前記ロック・緊締装置（１１）が、ナックルジョイント原理に基づき作動することを特徴とする、机システム。
【請求項２】
第１の構成群と第２の構成群とが、独立型机を形成するために互いに結合されている、請求項１記載の机システム。
【請求項３】
ｎ個の第１構成群と（ｎ＋１）個の第２の構成群とが、列連結またはコーナ連結で机設備を形成するために互いに結合しており、ｎ≧２およびｎが整数である、請求項１記載の机システム。
【請求項４】
（ｎ−１）個の第２の構成群が、それぞれ隣接する第１の構成群の中間に配置されている、請求項３記載の机システム。
【請求項５】
第２の構成群が、中央横梁Ｔ字形基部として形成されており、該中央横梁Ｔ字形基部の上側端部に板（８）が配置されており、該板（８）にロック・緊締装置（１１）が組み込まれている、請求項１から４までのいずれか１項記載の机システム。
【請求項６】
ロック・緊締装置（１１）が、板（８）に組み込まれており、かつ旋回可能な比較的長いグリッパ（４）から成っており、該グリッパ（４）が、両面で結合された結合部材（１０）を介してジョイント式に、係止突起（７）を有する比較的小さな緊締部材（５）と結合されており、グリッパ（４）が、閉鎖状態で水平に板（８）に配置され、板（８）の下面と共に平面を形成し、緊締部材（５）が、横梁（３）の異形成形部で固定されており、グリッパ（４）が、開放状態で板（８）に対して垂直に配置されており、係止突起（７）を備えた緊締部材（５）が、係止突起（７）のために設けられた板（８）の上側部分の開口（６）に係止可能になっている、請求項１から５までのいずれか１項記載の机システム。
【請求項７】
横梁（３）が、Ｕ字形の異形成形部を有している、請求項１から６までのいずれか１項記載の机システム。
【請求項８】
横梁（３）が、机板（１）の下面にねじ（９）によってねじ固定されている、請求項１から７までのいずれか１項記載の机システム。
【発明の詳細な説明】
【技術分野】
【０００１】
本発明は、家具産業の領域に関する。本発明は机システムであって、この机システムは、独立型机の実現にも任意の長さで連結可能な机設備の実現にも適している。
【背景技術】
【０００２】
ひとつには、単に１つの全体ユニットから成っていて、かつ剛性な構成物である机が公知である。この場合、机板には机脚が取り付けられていて、この机脚は所定の位置で位置固定されている。この机の欠点は、ここでは取外しも改造も可能ではないということである。
【０００３】
もうひとつには、机を不使用の場合に場所を取らないように保管するか、または運ぶことができるように、固定位置決めされた机脚を折りたたむことができる机が公知である。この折りたたみ可能な机脚は、たとえば各机に４つの独立型脚として、または全体脚（Ｔ字形脚）として構成することができる。公知の折りたたみ式机は、たとえば構成上、高く延びるトリムを有している。このトリムにＴ字形の鋼管フレームが進入する。ドイツ連邦共和国特許出願公開第１００４９８５３号明細書から折りたたみ式机が公知である。この折りたたみ式机は、机板と、４つの鉛直ステーと横方向ステーを備えた折りたたみ可能な鋼製ワイヤフレームから成っていて、この折りたたみ式机では、比較的肉薄な鋼製ワイヤで、スタティックに有利な力の三角構造が達成される。この力の三角構造により、２つのルーズジョイントにもかかわらず安定的な机フレームが可能になる。
【０００４】
さらに、独立型机を、会議机システムまたはミーティング机システムとして使用する机設備に連結できることが公知である。このために独立型机または個々の机板を、列にまたは別の配置形式、たとえばＵ字形にまとめる。しかしこの場合、そのために不都合にも位置固定・係止装置として付加的な特殊な構成部材が必要であるか、または別に製造された板が必要である。従って、たとえば出願人の「ｔａｌｋ  ａｂｏｕｔ」の製品ラインでは、独立型机の迅速連結が、別個に製造されたプラスチッククリップによって達成される。このプラスチッククリップは、隣接する２つの独立型机のフレームを介して緊締され、こうしてこれらの独立型机は結合される。連結の別の可能性は、「ｔａｌｋ  ａｂｏｕｔ」の製品ラインでは、独立型机を特殊な介在板を介して相互に結合することにある。
【０００５】
公知先行技術の欠点は、独立型机を連結するために付加的な構成部材が必要であり、位置固定・係止装置の取り扱いが比較的面倒であり、構成的に手間がかかりかつ必要な材料使用が比較的高いということである。
【特許文献１】ドイツ連邦共和国特許出願公開第１００４９８５３号明細書
【発明の開示】
【発明が解決しようとする課題】
【０００６】
従って、本発明の課題は、冒頭で述べた形式の、机下面を有する少なくとも１つの机板と、少なくとも２つの机脚とが設けられている机システムを改良して、会議・学習机システムとして、かつ机設備としても独立型机としても使用でき、使用する材料が減じられていて簡単な取扱いを特徴とする机システムを提供し、さらに、ネットワーク手段と通信テクノロジとを、問題なく机板に組み込むことができる、ということも可能にすることである。
【課題を解決するための手段】
【０００７】
この課題を解決するために本発明の構成では、当該机システムが、２つの異なる構成群から成っていて、第１の構成群が、机板と、互いに離間された、机下面に不動に配置された２つの横梁とを有していて、第２の構成群が、少なくとも２つのロック・緊締ユニットを備えた机脚を有していて、第２の構成群の、それぞれ少なくとも１つのロック・緊締ユニットが、第１の構成群の１つの横梁に係合し、前記ロック・緊締ユニットが、ナックルジョイント原理に基づき作動するようにした。
【発明の効果】
【０００８】
本発明に係る机システムは、有利には、第１の構成群と第２の構成群とが、独立型机を形成するために互いに結合されている。
【０００９】
本発明に係る机システムは、有利には、ｎ個の第１構成群と（ｎ＋１）個の第２の構成群とが、列連結またはコーナ連結で机設備を形成するために互いに結合しており、ｎ≧２およびｎが整数である。
【００１０】
本発明に係る机システムは、有利には、（ｎ−１）個の第２の構成群が、それぞれ隣接する第１の構成群の中間に配置されている。
【００１１】
本発明に係る机システムは、有利には、第２の構成群が、中央横梁Ｔ字形基部として形成されており、該中央横梁Ｔ字形基部の上側端部に板が配置されており、該板にロック・緊締装置が組み込まれている。
【００１２】
本発明に係る机システムは、有利には、ロック・緊締装置が、板に組み込まれており、かつ旋回可能な比較的長いグリッパから成っており、該グリッパが、両面で結合された結合部材を介してジョイント式に、係止突起を有する比較的小さな緊締部材と結合されており、グリッパは閉鎖状態で水平に板に配置され、板の下面と共に平面を形成し、緊締部材が、横梁の異形成形部で固定されており、グリッパは開放状態で板に対して垂直に配置されており、係止突起を備えた緊締部材が、係止突起のために設けられた板の上側部分の開口に係止可能になっている。
【００１３】
本発明に係る机システムは、有利には、横梁が、Ｕ字形の異形成形部を有している。
【００１４】
本発明に係る机システムは、有利には、横梁が、机板の下面にねじによってねじ固定されている。
【００１５】
本発明の利点は、本発明による机システムが極めて簡単でかつ廉価に製造可能で、取扱い可能であることにある。別の構成部材は必要ではない。さらに、机脚を机の全長に対して自由に取り付けて、位置決めすることができる。有利には、工具は必要なく、机脚に設けられている緊締機構を操作するだけでよい。
【００１６】
第１の構成群と第２の構成群とが、独立型机を形成するために互いに結合されていて、ｎ個の第１の構成群と（ｎ＋１）個の第２の構成群とが、机設備を形成するために互いに結合されていて、ｎ≧２およびｎが整数であると有利である。これにより、独立型机も任意に長く連結された机設備も実現することができる。
【００１７】
さらに、机設備の場合には、（ｎ−１）個の第２の構成群が、それぞれ隣接する第１の構成群の中間に配置されていると有利である。これにより、必要な机脚の数を減じることができる。従って、たとえば２つの机板を３つの机脚だけで結合することが可能である。たとえば「Ｌ」字形または「Ｕ」字形のコーナ連結も、問題なく迅速に実施可能である。
さらに、第２の構成群が、中央横梁Ｔ字形基部として形成されていて、この中央横梁Ｔ字形基部の上側端部に板が配置されていて、この板にロック・緊締ユニットが組み込まれていると有利である。このロック・緊締ユニットは、ナックルジョイント原理に基づき作動し、旋回可能で比較的長いグリッパから成っていて、このグリッパが、両面で結合された結合部材を介してジョイント式に、係止突起を有する比較的小さな緊締部材と結合されている。この場合、閉鎖状態では、グリッパは水平に板に配置されていて、板と共に平面を形成し、緊締部材を横梁の異形成形部で固定されている。解放した状態では、グリッパは板に対して垂直に配置されていて、係止突起を備えた緊締部材は、係止突起のために設けられた、板の上側部分の開口に係止可能である。グリッパによる閉鎖操作は、僅かな力手間で行うことができる。しかし、同時に緊締部材には極めて大きな力が形成される。この大きな閉鎖力および、機構の自立的な開放は１００％妨げられるという事実により、本発明による机システムは、確実でかつ使用者にとって扱い易くなる。緊締部材を板に係止することにより、緊締機構を開放する場合、自立的で望まない閉鎖は妨げられるということが保証される。この緊締機構は単純でかつ頑丈である。
【００１８】
有利には、横梁の形は極めて単純に形成することができ、たとえば「Ｕ」字形であってよい。この「Ｕ」字形の横梁は、机下面に簡単にねじ締結することができる。これにより、製造コストおよび組付けコストは極めて僅かである。
【発明を実施するための最良の形態】
【００１９】
以下に、本発明を実施するための最良の形態を図面につき詳しく説明する。
【００２０】
本発明を分かりやすくするために、主なエレメントのみを示した。同じエレメントには同じ符号を与えてある。
【００２１】
図１〜図３には、第１の実施例が示してある。図１には、本発明による独立型机を上から見た斜視図が示してある。図２には、この独立型机を下から見た斜視図が示してある。図３には、この独立型机を真下から見た平面図が示してある。本発明によれば、独立型机は２つの異なる構成群から成っている。第１の構成群は、机板１と、互いに離間された、机下面に不動に配置されている２つの横梁３とから形成されている。これらの横梁３は、ねじ９によって机下面に不動に取り付けられている（図２、図３）。第２の構成群は、ロック・緊締ユニット１１を備えた机脚２を有している。この実施例では、２つの第２構成群が存在する。各机脚２には４つのロック・緊締ユニット１１が存在する。この場合、それぞれ２つのロック・緊締ユニット１１は、第１構成群である１つの横梁３に係合する。これらの装置１１のグリッパ５と緊締部材４とが、図３からはっきり見て取ることができる。各机脚２は、中央横梁Ｔ字形基部として形成されており、この中央横梁Ｔ字形基部の上側端部には、水平の板８が配置されている。この板８に、ロック・緊締ユニット１１が組み込まれている。板８は、一方の横梁３から他方の横梁３に向かって延在している。本発明によれば、ロック・緊締ユニット１１は、ナックルジョイント原理で作動する。このことは以下に説明する。
【００２２】
図４〜図６には、本発明による机システムの第２実施例が示してある。図４には、連結された２つの机を備えた本発明による机システムを上から見た斜視図が示してあり、ここでは、中央部分における机板の一部が示されていない。図５には平面図が示してあり、図６には図４の側面図が示してある。ここでは、連結された２つの机からなるこの机設備の場合には、３つの第２構成群（机脚）しか必要にならないということがはっきり見て取ることができる。１つの机脚２が、隣接する２つの机板１の中間に常に位置決めされている。列連結またはコーナ連結で１つの机設備を形成するために、ｎ個の第１構成群と（ｎ＋１）個の第２の構成群とが互いに結合されていて、この場合、ｎ≧２およびｎは整数であり、かつ（ｎ−１）個の第２構成群が、それぞれ隣接する第１の構成群の中間に配置されているということが一般的には有利である。
【００２３】
机板１と机脚２との結合は、正確に適合されるものの、容易でかつ頑丈に保持されたロック・緊締機構により行われる。このことは、図７〜図１１に詳細に説明されている。
【００２４】
図７には、閉鎖状態のロック・緊締ユニット１１の領域の机板１の横断面図が示してあり、図８には、半開放状態の相応な横断面が示してあり、図９には、完全に開放した状態の横断面図が示してある。図１０は、図７の一部分の拡大図である。図１１は、図９一部分の拡大図である。
【００２５】
ロック・緊締ユニット１１は、机脚２の板８に組み込まれている。各装置１１は、旋回可能な、比較的長いグリッパ４を有している。このグリッパ４は、両面で結合された結合部材１０を介してジョイント式に、係止突起７を有する比較的小さな緊締部材５と結合されている。閉鎖状態（図７、図１０）では、グリッパ４は水平に板８に配置されていて、この場合、板８の下面と共に平面を形成する。緊締部材５は、横梁３の異形成形部で固定されている。開放状態（図９、図１１）では、グリッパ４は板８に対して垂直に配置されていて、緊締部材５は係止突起７で、この係止突起７ために設けられている、板８の上側部分の開口６に係止されている。
【００２６】
グリッパ４の大きな運動経過つまり旋回によって、緊締部材５に小さな運動経過が形成される。グリッパ４を操作する際の長い運動経過は、使用者にとってはっきり認識することができ、従って使用者は自分が機構を動かしていることを知る。緊締部材５の明らかにより小さな運動は、必要な構成高さに有利に作用する、つまり低く保つことができる。なぜならば横梁３と机脚２の板８とは、ほんの僅かな高さを有するだけでよいからである。
【００２７】
横梁３の形は極めて単純であってよく、「Ｕ」字形だけが必要である。装置１１は、机脚２の板８に完全に組み込まれていて、たとえばフランジ板であってよい板８と共に閉鎖平面を形成する。
【００２８】
グリッパ４での閉鎖の操作には、僅かな力をかけるだけでよいが、同時に緊締部材５niは極めて大きな力が形成される。この大きな閉鎖力および、機構の自立的な開放は１００％妨げられるという事実により、机システムは確実にかつ使用者にとって扱い易くなる。装置１１を開放する場合に緊締部材５を板８の開口６に係止すること（図１１参照）により、自立的でかつ望まない閉鎖は起こらないということが保証される。提案された構成によって、ロック部材は外側から内側に机脚プラットフォームに合致する。Ｔ字形基部は、プラスチック構成で経済的に製造することができる。
【００２９】
図１２および図１３には、別の実施例が示してある。図１２には、「Ｌ」字形（コーナ連結）の机システムを上から見た斜視図が示してあり、この場合、見やすくするために机板の半分しか示してない。図１３には、下から見た相応な平面図が示してある。このコーナ連結を形成するためには、下方からねじ締結された横梁３を備えた１つの９０°のセグメント板だけが必要である。
【００３０】
ネットワーク手段と通信テクノロジとを、横梁３を介して問題なく机板１に組み込むことができる。
【００３１】
当然のことながら本発明は記載の実施例に制限されるものではない。たとえば、環状の横梁３も考慮できるか、または板８が、個々の机脚２のためのアダプタ板としても設けられていてもよい。付加的なアダプタ部材は、異なって成形された横梁３に対する結合を形成することができる。
【図面の簡単な説明】
【００３２】
【図１】本発明による独立型机を上から見た斜視図である。
【図２】本発明による独立型机を下から見た斜視図である。
【図３】本発明による独立型机を真下から見た図である。
【図４】連結された２つの机を有する本発明による机システムを上から見た斜視図であり、机板の中央部分は示されていない。
【図５】連結された２つの机を有する本発明による机システムの下からの平面図である。
【図６】図５の側面図である。
【図７】ロック・緊締ユニット（閉鎖状態）の領域の机板の断面図である。
【図８】ロック・緊締ユニット（半分開放状態）の領域の机板の断面図である。
【図９】ロック・緊締ユニット（開放状態）の領域の机板の断面図である。
【図１０】図７の拡大図である。
【図１１】図９の拡大図である。
【図１２】Ｌ字形（コーナ連結）の机システムを上から見た斜視図であり、見やすくするために机板の半分しか示していない。
【図１３】図１２を下から見た本発明による解決手段の平面図である。
【符号の説明】
【００３３】
１  机板、  ２  机脚、  ３  横梁、  ４  グリッパ、  ５  緊締部材、  ６  開口、  ７  係止突起、  ８  板、  ９  ねじ、  １０  結合部材、  １１  ロック・緊締ユニット、  １２  ９０°セグメント板
【図１】
2007301370.tif 000003
【図２】
2007301370.tif 000004
【図３】
2007301370.tif 000005
【図４】
2007301370.tif 000006
【図５】
2007301370.tif 000007
【図６】
2007301370.tif 000008
【図７】
2007301370.tif 000009
【図８】
2007301370.tif 000010
【図９】
2007301370.tif 000011
【図１０】
2007301370.tif 000012
【図１１】
2007301370.tif 000013
【図１２】
2007301370.tif 000014
【図１３】
2007301370.tif 000015